(57)【要約】【課題】端子台に保持された状態を確実に維持可能な端子台の接続具を提供する。【解決手段】接続具１０は、端子台７１に並設配置された一組のねじ端子７ｔ・７ｔに着脱自在に接続する。接続具１０は、一対の磁石１１・１１と一対の突き当てコンタクト１２・１２を備える。磁石１１は、ねじ端子７ｔの頭部に吸着できる。突き当てコンタクト１２は、磁石１１の中心に配置し、ねじ端子７ｔの頭部に突き当てて接触する。又、接続具１０は、ポスト１３、第１ハウジング１４、及び接続部材（板ばね１６及び連結棒１８）を備える。ポスト１３には、プローブ８ｐ又はクリップ８ｃを係止できる。第１ハウジング１４は、磁石１１の端面を一方の面から突出するように配置し、ポスト１３を他方の面に立設する。接続部材は、第１ハウジング１４に内装され、突き当てコンタクト１２とポスト１３とを電気的に接続する。【選択図】図２
2010256056.tif 000002
【特許請求の範囲】
【請求項１】
端子台に並設配置された一組のねじ端子に着脱自在に接続する接続具であって、
一組の前記ねじ端子の頭部に吸着可能な一対の磁石と、
前記ねじ端子の頭部に突き当てて接触する突き当てコンタクトと、
プローブ又はクリップが係止可能なポストと、
一対の前記磁石の端面を一方の面から僅かに突出するように配置し、一方の面と反対側の他方の面に前記ポストを立設する第１ハウジングと、
この第１ハウジングに内装され、前記突き当てコンタクトと前記ポストとを電気的に接続する接続部材と、を備える端子台の接続具。
【請求項２】
端子台に並設配置された一組のねじ端子を周囲から隔絶する隔壁を有し、この一組のねじ端子に着脱自在に接続する接続具であって、
一組の前記ねじ端子の頭部に突き当てて接触する一対の突き当てコンタクトと、
プローブ又はクリップが係止可能なポストと、
前記ねじ端子の頭部を囲う凹部を有し、一対の前記突き当てコンタクトの先端部を前記凹部の底面から僅かに突出するように配置し、一方の面と反対側の他方の面に前記ポストを立設する第２ハウジングと、
この第２ハウジングに内装され、前記突き当てコンタクトと前記ポストとを電気的に接続する接続部材と、を備え、
前記第２ハウジングは、その両側面から突出して、前記隔壁に圧入される複数の襞を有する端子台の接続具。
【請求項３】
前記接続部材は、前記突き当てコンタクトの基端部を片持ち状に支持する板ばねを含む請求項１又は２記載の端子台の接続具。
【請求項４】
前記ポストは、前記プローブの先端部が挿入されて挟着するすり割り付きの挿入開口を先端部に有する請求項１から３のいずれかに記載の端子台の接続具。
【請求項５】
前記ポストの先端部を覆う伸縮が容易な絶縁性のキャップを更に備える請求項１から４のいずれかに記載の端子台の接続具。
【発明の詳細な説明】
【技術分野】
【０００１】
本発明は、端子台の接続具に関する。特に、電力量計などに備わる端子台の接続具の構造に関する。
【背景技術】
【０００２】
電力量計は、電力を積算し計量する電気計器である。一般家庭では、交流電力の内、有効電力が積算計量されて、いわゆる電気使用量が計量される。このような電力量計は、本体である電力計測器と端子台から構成されている。そして、端子台には、電源側給電用電線と負荷側給電用電線が接続されている。
【０００３】
上述した電力量計は、定期的又は必要に応じて、電圧が測定されている。この場合、テスタを用いて、プローブの先端を端子台に設けた端子に当接（接触）して、電圧を測定している。
【０００４】
ところで、このような電圧測定は、電力量計が通電状態で実施される。電力量計は、いわゆる活線状態で電圧が測定される。したがって、両手に持ったプローブの先端同士を不用意に接触させると、短絡が発生することがある。
【０００５】
このような不具合を解消するため、測定作業において、頻繁に移動するプローブが瞬時に吸着可能になり、無理な体勢を解消して安全意識に余裕をもち、測定作業が能率アップするプローブが開示されている（例えば、特許文献１参照）。
【０００６】
特許文献１によるプローブは、端子に吸着可能な磁石を取手棒の先端部に設け、磁石の中心から突出する接触棒を進退自在に取手棒に配置している。接触棒は、取手棒に内在する圧縮コイルばねで力を付勢されると共に、取手棒から延在するリード線と電気的に接続している。特許文献１によるプローブは、端子に吸着させて手放した状態を維持できる、としている。
【先行技術文献】
【特許文献】
【０００７】
【特許文献１】特開２００１−３４３３９８号公報
【発明の概要】
【発明が解決しようとする課題】
【０００８】
しかし、特許文献１によるプローブは、端子に吸着する磁石の面積に比較して、取手棒が長く伸長しているので、端子に吸着する状態を維持することが困難と推定される。実態として、特許文献１によるプローブは、端子を奥に設ける穴にその先端部が片持ち状態で保持される場合にのみ適用可能と考えられる。
【０００９】
上述した電力量計は、その端子台に設けたねじ端子がハウジングの隔壁から陥没している。したがって、特許文献１によるプローブをねじ端子に吸着したまま保持することは困難である。
【００１０】
電力量計などの端子台に設けたねじ端子に容易に接続でき、かつこの端子台に保持された状態を確実に維持可能な端子台の接続具を実現できれば、プローブ同士を不用意に接触させことがなく、短絡が防止されて安全に電圧などを測定できる。そして、以上のことが本発明の課題といってよい。
【００１１】
本発明は、このような問題に鑑みてなされたものであり、電力量計などの端子台に設けたねじ端子に容易に接続でき、かつこの端子台に保持された状態を確実に維持可能な端子台の接続具を提供することを目的とする。
【課題を解決するための手段】
【００１２】
本発明者は、電力量計の端子台には、一組のねじ端子を設けていることに着目し、接続具の一方の端部には、一組のねじ端子の頭部に吸着可能な一対の磁石を設け、接続具の他方の端部には、プローブ又はクリップが係止可能なポストを設け、このポストが磁石の中心から突出するコンタクトと電気的に接続するように構成することにより、この課題が解決可能なことを見出し、これに基づいて、以下のような新たな端子台の接続具を発明するに至った。
【００１３】
（１）本発明による端子台の接続具は、端子台に並設配置された一組のねじ端子に着脱自在に接続する接続具であって、一組の前記ねじ端子の頭部に吸着可能な一対の磁石と、前記ねじ端子の頭部に突き当てて接触する突き当てコンタクトと、プローブ又はクリップが係止可能なポストと、一対の前記磁石の端面を一方の面から僅かに突出するように配置し、一方の面と反対側の他方の面に前記ポストを立設する第１ハウジングと、この第１ハウジングに内装され、前記突き当てコンタクトと前記ポストとを電気的に接続する接続部材と、を備える。
【００１４】
（２）本発明による端子台の接続具は、端子台に並設配置された一組のねじ端子を周囲から隔絶する隔壁を有し、この一組のねじ端子に着脱自在に接続する接続具であって、一組の前記ねじ端子の頭部に突き当てて接触する一対の突き当てコンタクトと、プローブ又はクリップが係止可能なポストと、前記ねじ端子の頭部を囲う凹部を有し、一対の前記突き当てコンタクトの先端部を前記凹部の底面から僅かに突出するように配置し、一方の面と反対側の他方の面に前記ポストを立設する第２ハウジングと、この第２ハウジングに内装され、前記突き当てコンタクトと前記ポストとを電気的に接続する接続部材と、を備え、前記第２ハウジングは、その両側面から突出して、前記隔壁に圧入される複数の襞を有する。
【００１５】
（３）前記接続部材は、前記突き当てコンタクトの基端部を片持ち状に支持する板ばねを含むことが好ましい。
【００１６】
（４）前記ポストは、前記プローブの先端部が挿入されて挟着するすり割り付きの挿入開口を先端部に有することが好ましい。
【００１７】
（５）前記ポストの先端部を覆う伸縮が容易な絶縁性のキャップを更に備えることが好ましい。
【発明の効果】
【００１８】
本発明によれば、第１ハウジングの一方の端部には、一組のねじ端子の頭部に吸着可能な一対の磁石を設け、第１ハウジングの他方の端部には、プローブ又はクリップが係止可能なポストを設け、このポストが磁石の中心から突出する突き当てコンタクトと電気的に接続するように構成しているので、端子台に設けたねじ端子に容易に接続でき、かつこの端子台に保持された状態を確実に維持可能な端子台の接続具を提供できる。
【００１９】
又、本発明によれば、第２ハウジングの両側面には、一組のねじ端子を隔絶する隔壁に圧入される複数の襞を設け、第２ハウジングの一方の端部には、一組のねじ端子の頭部に接触する一対の突き当てコンタクトを設け、第２ハウジングの他方の端部には、プローブ又はクリップが係止可能なポストを設け、このポストがねじ端子の頭部を囲う凹部から突出する突き当てコンタクトと電気的に接続するように構成しているので、端子台に設けたねじ端子に容易に接続でき、かつこの端子台に保持された状態を確実に維持可能な端子台の接続具を提供できる。
【図面の簡単な説明】
【００２０】
【図１】本発明の第１又は第２実施形態による端子台の接続具が接続される一実施例による電力量計の構成を示す正面図である。
【図２】本発明の第１実施形態による端子台の接続具の構成を示す縦断面図である。
【図３】第１実施形態による端子台の接続具の構成を示す斜視分解組立図である。
【図４】第１実施形態による端子台の接続具の構成を示す斜視分解組立図であり、図３と異なる角度から端子台の接続具を観ている。
【図５】本発明の第２実施形態による端子台の接続具の構成を示す縦断面図である。
【図６】第２実施形態による端子台の接続具の構成を示す斜視分解組立図である。
【図７】第２実施形態による端子台の接続具の構成を示す斜視分解組立図であり、図６と異なる角度から端子台の接続具を観ている。
【発明を実施するための形態】
【００２１】
以下、図面を参照して本発明を実施するための形態を説明する。
【００２２】
最初に、一実施例による電力量計の構成を説明する。図１は、本発明の第１又は第２実施形態による端子台の接続具が接続される一実施例による電力量計の構成を示す正面図である。
【００２３】
図１を参照すると、電力量計７は、本体である電力計測器７０と端子台７１から構成されている。電力量計７は、複数の電源側電力線６ａと複数の負荷側電力線６ｂとの間に接続されている。電力量計７は、負荷側の機器に供給された電力量を計量している。
【００２４】
図１において、電力計測器７０は、供給された電力を計測及び積算し、積算した値を電力量として正面側に向けて表示する積算表示手段を含んでいる。具体的には、積算表示手段は、電源側電力線６ａから負荷側電力線６ｂに流れる電流に応じて電力を計測して積算し、積算して得た値を電力量として正面側に向けて表示している。図示された電力計測器７０は、透明なカバーで背面を除く周囲が囲われている。
【００２５】
図１を参照すると、端子台７１は、矩形の絶縁基板上に一組のねじ端子７ｔ・７ｔを並設配置している。又、端子台７１は、一組のねじ端子７ｔ・７ｔを周囲から隔絶する隔壁７ｓ・７ｓを有している。実体として、一対の隔壁７ｓ・７ｓで囲われた凹部の底面に一組のねじ端子７ｔ・７ｔを取り付けている。
【００２６】
なお、並設配置とは、一定の間隔を設けて一列に揃え、並べて配置することを意味している。又、これらのねじ端子７ｔは、磁石（永久磁石）が吸着可能な鉄などの磁性体の金属からなっている。これらのねじ端子７ｔは、それらの頭部がすり割り付き（マイナスねじ）の低頭となっている。そして、通常、端子台７１は、取り外しが困難なカバー（図示せず）で覆われている。
【００２７】
図１を参照すると、端子台７１は、複数の電源側電力線６ａと複数の負荷側電力線６ｂとの間に電力計測器７０とが電気回路として介在するように、これらの電源側電力線６ａ及び負荷側電力線６ｂを接続している。
【００２８】
図１を参照すると、端子台７１は、電源側端子部７ａと負荷側端子部７ｂとに区分している。電源側端子部７ａは、電源側電力線６ａの端末（剥離電線）を一組のねじ端子７ｔ・７ｔをねじ止めして、電気的に接続できる。負荷側端子部７ｂは、負荷側電力線６ｂの端末（剥離電線）を一組のねじ端子７ｔ・７ｔをねじ止めして、電気的に接続できる。
【００２９】
［第１実施形態］
次に、本発明の第１実施形態による端子台の接続具の構成を説明する。図２は、本発明の第１実施形態による端子台の接続具の構成を示す縦断面図である。図３は、第１実施形態による端子台の接続具の構成を示す斜視分解組立図である。図４は、第１実施形態による端子台の接続具の構成を示す斜視分解組立図であり、図３と異なる角度から端子台の接続具を観ている。
【００３０】
図２から図４を参照すると、本発明の第１実施形態による端子台の接続具（以下、接続具と略称する）１０は、端子台７１に並設配置された一組のねじ端子７ｔ・７ｔに着脱自在に接続できる（図１参照）。
【００３１】
図２から図４を参照すると、接続具１０は、一対の円環状の磁石１１・１１と一対の棒状の突き当てコンタクト１２・１２を備えている。一対の磁石１１・１１は、一組のねじ端子７ｔ・７ｔの頭部に吸着可能となっている。又、突き当てコンタクト１２は、磁石１１の中心になるように配置されており、ねじ端子７ｔの頭部に突き当てて接触することができる。
【００３２】
又、図２から図４を参照すると、接続具１０は、ポスト１３、第１ハウジング１４、及び第１カバーハウジング１５を備えている。ポスト１３は、銅合金などの導電性部材からなっている。そして、ポスト１３の基端部１３１には、クリップ８ｃを挟む（係止する）ことができる。例えば、クリップ８ｃの端末は、テスタ（図示せず）に接続されている。
【００３３】
図２から図４を参照すると、ポスト１３の先端部１３２には、すり割り１３ａ付きの挿入開口１３ｂを有している。プローブ８ｐの先端部が挿入開口１３ｂに挿入されて挟着する（係止する）ことができる。例えば、プローブ８ｐの端末は、テスタ（図示せず）に接続されている。更に、ポスト１３の先端部１３２は、伸縮が容易な絶縁性のキャップ１７で覆われている。
【００３４】
図２から図４を参照すると、第１ハウジング１４は、絶縁性の合成樹脂からなり、図示されたような略直方体の形状に成形されている。第１ハウジング１４は、一方の面１４１に開口した一対の段付きの穴１４ａ・１４ａを有している。そして、磁石１１が穴１４ａに嵌合されて、接着剤で固定されている。
【００３５】
図２から図４を参照すると、一対の磁石１１・１１は、それらの端面が第１ハウジング１４の一方の面１４１から僅かに突出するように配置されている。又、一対の磁石１１・１１の中心間距離は、一組のねじ端子７ｔ・７ｔの中心間距離と一致している。したがって、一対の磁石１１・１１を一組のねじ端子７ｔ・７ｔの頭部に当接すると、磁力で吸着できる。
【００３６】
図２から図４を参照すると、第１カバーハウジング１５は、絶縁性の合成樹脂からなり、図示されたような矩形の板状に成形されている。そして、第１カバーハウジング１５は、その一方の面１５１から突出する一対の鉤状のランス１５ｂ・１５ｂを両端部に設けている。一方、第１ハウジング１４は、一対のランス１５ｂ・１５ｂが係合可能な一対のラッチ部１４ｂ・１４ｂを両端部に設けている。
【００３７】
図２から図４を参照すると、一対のラッチ部１４ｂ・１４ｂに一対のランス１５ｂ・１５ｂを係合させて、第１ハウジング１４と第１カバーハウジング１５とを結合できる。第１ハウジング１４には、分離が困難な、いわゆる「はめ殺し」で、第１カバーハウジング１５が結合される。
【００３８】
図２から図４を参照すると、接続具１０は、板ばね１６と連結棒１８を備えている。板ばね１６は、その両端部が一対の突き当てコンタクト１２・１２の基端部を片持ち状に支持している。第１実施形態では、突き当てコンタクト１２の基端部は、板ばね１６の端部にかしめ付けで固定している。板ばね１６は、突き当てコンタクト１２に所定の接触圧力を付勢することができる。
【００３９】
図２から図４を参照すると、板ばね１６の中央部は、連結棒１８の一方の端面にスポット溶接で固定されている。そして、一対の突き当てコンタクト１２・１２、板ばね１６、及び連結棒１８を一体に構成している。
【００４０】
一方、図２から図４を参照すると、連結棒１８の他方に設けた軸部は、第１カバーハウジング１５の他方の面１５２から突出しており、ポスト１３の基端部１３１に設けた穴１３ｃに圧入されている。ここで、第１ハウジング１４は、第１カバーハウジング１５を含むものとして考えることができ、第１ハウジング１４は、ポスト１３を他方の面１５２に立設している、とすることができる。
【００４１】
図２から図４を参照すると、一対の突き当てコンタクト１２・１２、板ばね１６、及び連結棒１８は、銅合金などの導電性部材からなり、第１ハウジング１４に内装され、一対の突き当てコンタクト１２・１２とポスト１３とを電気的に接続する接続部材とすることができる。
【００４２】
図２から図４を参照すると、第１ハウジング１４は、ガイド穴１４ｃを内側に設けている。ガイド穴１４ｃは、穴１４ａに連通している。ガイド穴１４ｃは、突き当てコンタクト１２をスライド可能に案内している。
【００４３】
一方、図２から図４を参照すると、磁石１１は、突き当てコンタクト１２の外径より大きな内径を有する逃げ穴１１ａを中心に設けている。したがって、突き当てコンタクト１２と磁石１１との接触（短絡）を防止できる。
【００４４】
次に、本発明の第１実施形態による接続具１０の作用を説明する。
【００４５】
図１から図４を参照すると、接続具１０は、一組のねじ端子７ｔ・７ｔの頭部に吸着可能な一対の磁石１１・１１を第１ハウジング１４の一方の端部に設けている。又、接続具１０は、プローブ８ｐ又はクリップ８ｃが係止可能なポスト１３を第１ハウジング１４の他方の端部に設けている。
【００４６】
図１から図４を参照すると、接続具１０は、ポスト１３を磁石１１の中心から突出する突き当てコンタクト１２と電気的に接続するように構成しているので、端子台７１に設けたねじ端子７ｔに容易に接続できる。又、接続具１０は、端子台７１に保持された状態を確実に維持できるので、プローブを把持してねじ端子７ｔに接続する必要が無くなる。したがって、プローブ同士を不用意に接触させことがなく、短絡が防止される。
【００４７】
又、図２から図４を参照すると、接続具１０は、突き当てコンタクト１２の基端部を片持ち状に支持する板ばね１６を備えているので、この板ばね１６を適宜に設計すれば、一組のねじ端子７ｔ・７ｔとの吸着力を低下させることなく、ねじ端子７ｔとの所定の接触圧力を付与することができる。
【００４８】
なお、図２は、突き当てコンタクト１２がねじ端子７ｔの頭部に当接して、板ばね１６が弾性変形した状態を示している。接続具１０を端子台７１から取り外すと、突き当てコンタクト１２の先端部が磁石１１の端面から僅かに突出する、初期の状態に復帰できる。
【００４９】
更に、図２から図４を参照すると、ポスト１３は、プローブ８ｐの先端部が挿入されて挟着するすり割り１３ａ付きの挿入開口１３ｂを先端部に有するので、プローブ８ｐを把持することなく、プローブ８ｐが接続具１０に保持されて、ねじ端子７ｔに接続できる。
【００５０】
図２を参照すると、本発明の第１実施形態による接続具１０は、プローブ８ｐのみならず、ポスト１３にクリップ８ｃを係止できる。本発明の第１実施形態による接続具１０は、端子台７１には、一組のねじ端子７ｔ・７ｔを設けていることに着目し、接続具１０の一方の端部には、一組のねじ端子７ｔ・７ｔの頭部に吸着可能な一対の磁石１１・１１を設けているので、従来のプローブと比較して吸着力が優れ、プローブ８ｐ又はクリップ８ｃをポスト１３に係止できる。本発明の第１実施形態による接続具１０は、プローブ８ｐとクリップ８ｃの双方をポスト１３に係止することもできる。
【００５１】
又、図２から図４を参照すると、接続具１０は、ポスト１３の先端部を覆う絶縁性のキャップ１７を更に備えるので、不要な感電を防止できて安全である。
【００５２】
［第２実施形態］
次に、本発明の第２実施形態による端子台の接続具の構成を説明する。図５は、本発明の第２実施形態による端子台の接続具の構成を示す縦断面図である。図６は、第２実施形態による端子台の接続具の構成を示す斜視分解組立図である。図７は、第２実施形態による端子台の接続具の構成を示す斜視分解組立図であり、図６と異なる角度から端子台の接続具を観ている。
【００５３】
なお、以下の第２実施形態による接続具２０の説明において、第１実施形態による接続具１０の説明で用いた符号と同じ符号を付した構成品は、その作用を同一とするので説明を割愛する場合がある。
【００５４】
図５から図７を参照すると、本発明の第２実施形態による接続具２０は、端子台７１に並設配置された一組のねじ端子７ｔ・７ｔを周囲から隔絶する隔壁７ｓを有し、一組のねじ端子７ｔ・７ｔに着脱自在に接続できる（図１参照）。
【００５５】
図５から図７を参照すると、接続具１０は、一対の棒状の突き当てコンタクト１２・１２を備えている。突き当てコンタクト１２は、ねじ端子７ｔの頭部に突き当てて接触することができる。
【００５６】
又、図５から図７を参照すると、接続具２０は、ポスト１３、第２ハウジング２４、及び第２カバーハウジング２５を備えている。ポスト１３は、銅合金などの導電性部材からなっている。そして、ポスト１３の基端部１３１には、クリップ８ｃを挟む（係止する）ことができる。例えば、クリップ８ｃの端末は、テスタ（図示せず）に接続されている。
【００５７】
図５から図７を参照すると、ポスト１３の先端部１３２には、すり割り１３ａ付きの挿入開口１３ｂを有している。プローブ８ｐの先端部が挿入開口１３ｂに挿入されて挟着する（係止する）ことができる。例えば、プローブ８ｐの端末は、テスタ（図示せず）に接続されている。更に、ポスト１３の先端部１３２は、伸縮が容易な絶縁性のキャップ１７で覆われている。
【００５８】
図５から図７を参照すると、第２ハウジング２４は、絶縁性の合成樹脂からなり、図示されたような略直方体の形状に成形されている。第２ハウジング２４は、一方の面２４１に開口した一対の凹部２４ａ・２４ａを有している。そして、一対の凹部２４ａ・２４ａは、一組のねじ端子７ｔ・７ｔの頭部を囲うことができる。
【００５９】
図６及び図７を参照すると、第２ハウジング２４は、その両側面から突出して、一対の隔壁７ｓ・７ｓに圧入される複数の襞２４ｄを有している（図１参照）。これらの襞２４ｄは、第２ハウジング２４の両側面に山脈状に突出しており、それらの頂部が一対の隔壁７ｓ・７ｓを押圧できる。
【００６０】
図５から図７を参照すると、第２カバーハウジング２５は、絶縁性の合成樹脂からなり、図示されたような矩形の板状に成形されている。そして、第２カバーハウジング２５は、その一方の面２５１から突出する一対の鉤状のランス２５ｂ・２５ｂを両端部に設けている。一方、第２ハウジング２４は、一対のランス２５ｂ・２５ｂが係合可能な一対のラッチ部２４ｂ・２４ｂを両端部に設けている。
【００６１】
なお、第１実施形態による第１カバーハウジング１５と第２実施形態による第２カバーハウジング２５とは、同じものであるが、説明の便宜上、符号を変えて区別した。
【００６２】
図５から図７を参照すると、一対のラッチ部２４ｂ・２４ｂに一対のランス２５ｂ・２５ｂを係合させて、第２ハウジング２４と第２カバーハウジング２５とを結合できる。第２ハウジング２４は、分離が困難な、いわゆる「はめ殺し」で、第２カバーハウジング２５が組み立てられる。
【００６３】
図５から図７を参照すると、接続具２０は、板ばね１６と連結棒１８を備えている。板ばね１６は、その両端部が一対の突き当てコンタクト１２・１２の基端部を片持ち状に支持している。第１実施形態では、突き当てコンタクト１２の基端部は、板ばね１６の端部にかしめ付けで固定している。板ばね１６は、突き当てコンタクト１２に所定の接触圧力を付勢することができる。
【００６４】
図５から図７を参照すると、連結棒１８の他方に設けた軸棒は、第２カバーハウジング２５の他方の面２５２に突出しており、ポスト１３の基端部１３１に設けた穴１３ｃに圧入されている。ここで、第２ハウジング２４は、第２カバーハウジング２５を含むものとして考えることができ、第２ハウジング２４は、ポスト１３を一方の面２４１と反対側の他方の面２５２に立設している、とすることができる。
【００６５】
図５から図７を参照すると、第２ハウジング２４は、凹部２４ａに連通する貫通穴２４ｃを凹部２４ａの中心に設けている。貫通穴２４ｃは、突き当てコンタクト１２を絶縁可能に囲っている。
【００６６】
次に、本発明の第２実施形態による接続具２０の作用を説明する。
【００６７】
図１及び図５から図７を参照すると、接続具２０は、一組のねじ端子７ｔ・７ｔを隔絶する隔壁７ｓに圧入される複数の襞２４ｄを第２ハウジング２４の両側面に設けている。又、接続具２０は、一組のねじ端子７ｔ・７ｔの頭部に接触する一対の突き当てコンタクト１２・１２を第２ハウジング２４の一方の端部に設けている。更に、接続具２０は、プローブ８ｐ又はクリップ８ｃが係止可能なポスト１３を第２ハウジング２４の他方の端部に設けている。
【００６８】
図５から図７を参照すると、接続具２０を端子台７１の隔壁７ｓに圧入すると、複数の襞２４ｄと隔壁７ｓとの摩擦力で、接続具２０を端子台７１に保持できる。又、凹部２４ａの底面がねじ端子７ｔの頭部に当接すると、突き当てコンタクト１２の先端部がねじ端子７ｔの頭部に接触できる。
【００６９】
図５を参照すると、本発明の第２実施形態による接続具２０は、プローブ８ｐのみならず、ポスト１３にクリップ８ｃを係止できる。本発明の第２実施形態による接続具２０は、端子台７１の隔壁７ｓに圧入すると、複数の襞２４ｄと隔壁７ｓとの摩擦力で、接続具２０を端子台７１に強固に保持できる。従来のプローブと比較して保持力に優れ、プローブ８ｐ又はクリップ８ｃをポスト１３に係止できる。本発明の第２実施形態による接続具２０は、プローブ８ｐとクリップ８ｃの双方をポスト１３に係止することもできる。
【００７０】
図５から図７を参照すると、接続具２０は、ポスト１３をねじ端子７ｔの頭部を囲う凹部２４ａから突出する突き当てコンタクト１２と電気的に接続するように構成しているので、端子台７１に設けたねじ端子７ｔに容易に接続できる。又、接続具１０は、端子台７１に保持された状態を確実に維持できるので、プローブを把持してねじ端子７ｔに接続する必要が無くなる。したがって、プローブ同士を不用意に接触させことがなく、短絡が防止される。
【００７１】
又、図５から図７を参照すると、接続具２０は、突き当てコンタクト１２の基端部を片持ち状に支持する板ばね１６を備えているので、この板ばね１６を適宜に設計すれば、隔壁７ｓとの摩擦力を低下させることなく、ねじ端子７ｔに所定の接触圧力を付与することができる。
【００７２】
なお、図５は、突き当てコンタクト１２がねじ端子７ｔの頭部に当接して、板ばね１６が弾性変形した状態を示している。接続具２０を端子台７１から取り外すと、突き当てコンタクト１２の先端部が凹部２４ａの底面から僅かに突出する、初期の状態に復帰できる。
【符号の説明】
【００７３】
７ｔ  ねじ端子
８ｃ  クリップ
８ｐ  プローブ
１０  接続具
１１  磁石
１２  突き当てコンタクト
１３  ポスト
１４  第１ハウジング
１６  板ばね（接続部材）
１８  連結棒（接続部材）
【図１】
2010256056.tif 000003
【図２】
2010256056.tif 000004
【図３】
2010256056.tif 000005
【図４】
2010256056.tif 000006
【図５】
2010256056.tif 000007
【図６】
2010256056.tif 000008
【図７】
2010256056.tif 000009